(57)【要約】      （修正有）【課題】永久磁石式被ガイドをシンプルかつ堅牢構造にし、回転駆動軸の回転による永久磁石式被ガイドとハズミウエイトの偏心回転を安定化した磁石式発電装置を提供する。【解決手段】回転駆動軸３６を回転させることにより偏心回転シャフト機構５０を回転させてハズミウエイト６０と永久磁石式被ガイドを磁石リング軌条３０に沿って偏心回転させる磁石式発電装置において、前記永久磁石式被ガイドは、ロール外周に前記磁石リング軌条の永久磁石２０の両磁極面に対面した非磁性体の筒体ロールを形成し、筒体ロールの内周面と前記支持アーム７０の軸受けの外周面との間の周方向に等回転角度間隔で永久磁石を配置したロールタイプの永久磁石式被ガイド９０−１、９０−２にしたことを特徴とする偏心回転式発電装置。【選択図】図１
0003232374.tif 000002
【実用新案登録請求の範囲】
【請求項１】
平行関係にした一対のリング枠体（１０）の各外周面側と内周面側に沿って同一磁極を揃えたガイド用の永久磁石（２０）を固定配列した竪型の磁石リング軌条（３０）と、一方を発電装置に連結し他方を自然原動力で回転する回転駆動装置に連結し軸芯（４１）を磁石リング軌条（３０）の水平直径線（３３）の中心位置から水平方向に所定量変位させた位置に直交して水平に配置した回転駆動軸（３６）と、同一の回転駆動軸（３６）にその回転半径方向線に沿ってスライド自在にして複数を装着した偏心回転シャフト機構（５０）と、各偏心回転シャフト機構（５０）の両側に摺動可能に支持したハズミウエイト（６０）と、ハズミウエイト（６０）の両側に平行に設けた支持アーム（７０）の軸受け（９２）を介して支持され前記磁石リング軌条（３０）の永久磁石（２０）の両磁極面に対して反発関係に永久磁石（８０）の磁極面を対面させた永久磁石式被ガイド（９０）とからなり、前記回転駆動装置により回転駆動軸（３６）を回転させることにより偏心回転シャフト機構（５０）を回転させてハズミウエイト（６０）と永久磁石式被ガイドを前記磁石リング軌条（３０）に沿って偏心回転させる磁石式発電装置において、
前記永久磁石式被ガイドは、ロール外周に前記磁石リング軌条（３０）の永久磁石（２０）の両磁極面に対面した非磁性体の筒体ロール（９２）を形成し、筒体ロール（９２）の内周面と前記支持アーム（７０）の軸受け（９２）の外周面との間の周方向に等回転角度間隔で前記走行用永久磁石を配置したロールタイプの永久磁石式被ガイド（９０−１、９０−２）にしたことを特徴とする偏心回転式発電装置。
【考案の詳細な説明】
【技術分野】
【０００１】  本発明は、偏心回転式発電装置に関するものである。
【背景技術】
【０００２】  発電装置は、従来公知のものとして大別して風力発電装置、蒸気力発電装置、水力発電装置、波力発電装置、太陽光発電装置など大掛かりな様々な発電装置が開発されている。近年、地球温暖化問題が表面化し、二酸化炭素排出規制が声高に叫ばれている。この対策とするクリーンエネルギー技術として、前記の太陽光電池、風力発電等が注目され開発され現在稼動しているが、コスト及びメンテナンス等の問題でなかなか普及していないのが現状である。【０００３】  そこで各特許文献に紹介の発明者等は、地球上の重力を活用し、それを効率よく発電用の回転エネルギーに転換する新規な装置の開発を進めてきた。この開発の過程で発明したのが、特許文献１から特許文献３に紹介する偏心回転式発電装置である。この偏心回転式発電装置は、発電回転用の回転駆動軸を駆動エネルギーとして風力、蒸気力、水力、波力などの自然原動力を用いて回転駆動させるもので電気エネルギー変換効率を大幅に高めた偏心回転式発電装置である。この偏心回転式発電装置は、特許文献１〜特許文献３で紹介のように竪型の真円の磁石リング軌条と、真円の磁石リング軌条の円心位置から水平方向に所定量変位させた位置に直交して水平に配置した回転駆動軸と、回転駆動軸に偏心回転ガイドシャフト機構を介して装着し且つ磁石リング軌条に沿って非接触状態で周回可能に設けた永久磁石式被ガイドと、永久磁石式被ガイドに装着したハズミウエイトとを主構成とする。縦型の真円の磁石リング軌条は、外周面側と内周面側に同一磁極を揃えたガイド用の永久磁石を固定配列し、永久磁石式被ガイドの永久磁石とは反発関係に磁極を対面させる。これで永久磁石式被ガイドは、非接触状態で磁石リング軌条の内外周側に沿って倣い周回走行可能にしてある。偏心回転シャフト機構は、回転駆動軸の回転半径方向線に沿ってスライド自在にし且つ１８０度の回転角度の間隔で永久磁石式被ガイドを支持する。回転駆動軸により偏心回転シャフト機構を回転させて、永久磁石式被ガイドに装着したハズミウエイトを偏心回転させることにより回転駆動軸に回転モーメントを付与して、軽負荷で回転させて発電させるものである。【０００４】  この偏心回転式発電装置は、前述のように水力、風力、波力、その他の自然エネルギー、あるいはこれ等から得た微電力等を用いて前記回転駆動軸を微力で一旦回転駆動すれば、エネルギーロスを少なくした効率の良い発電力を確保することが最大の目標である。しかし、磁石リング軌条に沿って周回する永久磁石式被ガイドとの回転抵抗の低減、およびハズミウエイトと共動する永久磁石式被ガイドと偏心回転シャフト機構との摺動抵抗の低減、さらに偏心回転シャフト機構にかかる回転中の軸力分布を均等化させる工夫をした接触型及び非接触型であるが、そのいずれもが回転抵抗と軸力分布の均一化の問題があり、この問題を解決のために次の開発ステージへと進む結果となった。【０００５】  図４は、従来の偏心回転式発電装置において、固定永久磁石０３ｍを配列した磁石リング軌条０３にガイドされて回転する偏心回転シャフト機構０１と永久磁石式被ガイド０５とハズミウエイト０６の回転角度位置において、目的とする左回転方向（→正回転方向）に回転するための���転駆動軸に掛かる回転モーメント発生領域と、その逆回転方向に回転モーメントが発生する領域を示す概略説明図である。【０００６】  前記偏心回転式発電装置において、前記磁石リング軌条０３は、図３から明らかなように真円にし、前記偏心回転シャフト機構０１の回転中心０２位置を、真円の磁石リング軌条０３の水平直径線０４の３分の１の位置に偏位してあるため、例えば図に示すように、偏心回転シャフト機構０１を直線状にし、その両側にすなわち１８０°の回転角度間隔をおいた位置に、永久磁石式被ガイド０５を含んで等重量Ｗのハズミウエイト０６を配置して偏心回転シャフト機構０１の回転駆動軸を回転させた場合は、一対の永久磁石式被ガイド０５とそのハズミウエイト０６が、磁石リング軌条０３の円心０３ｃを通る鉛直線０７から前記偏心回転シャフト機構０１の回転中心０２側の単一円弧部０３−１に共に存在する領域ＭＯがある。【０００７】  この領域ＭＯ以外では常に回転駆動軸に目的とする左回転方向に回転するための回転モーメントが掛かる発生領域である。前記領域ＭＯは左右の回転モーメントが同じニュートラル状態になる二つの位置Ｒ１−Ｒ１とＲ２−Ｒ２に挟まれる領域であり、この領域に一対の永久磁石式被ガイド０５とそのハズミウエイト０６が位置する間は、回転駆動軸の芯０２に常に図の右回転方向への逆回転負荷が掛かりエネルギーロスを生じ減速状態となり大きな回転変動を起こし安定しない。【０００８】  そこで前記各特許文献に紹介の発明者等は、偏心回転シャフト機構０１で支持したハズミウエイトが鉛直直径線上にあるとき時の回転モーメントが０になる以外は、常に一回転方向へのプラス軸力を維持して逆回転負荷による減速状態とそれによるエネルギーロスを超僅少にするとともに、回転慣性力による回転むら現象の僅少で円滑な連続回転状態を安定して得られる新規な偏心回転式発電装置を開発した。【０００９】  この新規な偏心回転式発電装置は特許文献４で紹介した。特許文献４に紹介の偏心回転式発電装置の特徴は、図４に示すように「平行関係にした一対のリング枠体１１０の各外周面側と内周面側に沿って同一磁極を揃えたガイド用の永久磁石１１１を固定配列した竪型の磁石リング軌条１００と、一方を発電装置に連結し他方を自然原動力で回転する回転駆動装置に連結し軸芯３００ｃを磁石リング軌条１００の水平直径線１００−１の中心Ｃ位置から水平方向に所定量変位させた位置に直交して水平に配置した回転駆動軸２と、同一回転駆動軸２にその回転半径方向線Ｒに沿ってスライド自在にして複数を装着した偏心回転シャフト機構３００と、各偏心回転シャフト機構３００の両側に支持され前記磁石リング軌条１００の永久磁石１１１の両磁極面に対して反発関係に走行用永久磁石２０１の磁極面を対面させて保持した永久磁石式被ガイド２００と、永久磁石式被ガイド２００に装着したハズミウエイト４００とからなり、複数の前記偏心回転シャフト機構３００は相対位置関係を均等な回転角度の間隔で配置し、前記回転駆動軸２の軸芯３００ｃの位置は、回転磁石リング軌条１００の水平直径線１００−１の３分の１〜５分の３の位置に偏位させ、前記回転駆動装置により回転駆動軸２を回転させることにより偏心回転シャフト機構３００を回転させて永久磁石式被ガイド２００とハズミウエイト４００を前記磁石リング軌条１００に沿って偏心回転させる磁石式発電装置において、
磁石リング軌条１００は、前記水平直径線１００−１に対して上下面対称形状にし、長軸を回転駆動軸芯３００ｃを通る沿直線１００−２上においた楕円を当該長軸を中心に二分割した第一半楕円１０５−１０６と、短軸を回転駆動軸芯３００ｃを通る沿直線１００−２上においた楕円を当該短軸を中心に二分割した第二半楕円１０３−１０４とを結合した合成エンドレスリングにし、前記永久磁石式被ガイド２００は、ハズミウエイト４００の両側部各々に一対の湾曲支持アーム２０２を回動可能に軸２０４に軸着し、湾曲支持アーム２０２に複数個の前記永久磁石２０１をリング軌条の固定永久磁石１１１に対して所定の間隔を保持して支持配列し、軸２０４により軸支持した湾曲支持アーム２０２の両端に永久磁石２０１が直接リング枠体１１０に当接しないようにガイドする補助ロール２０３を設けたことを特徴とする偏心回転式発電装置。」である。
【先行技術文献】
【特許文献】
【００１０】
【特許文献１】特開２０１０−３５３９３号公報
【特許文献２】特開２０１００６８６８１号公報
【特許文献３】特開２０１０−９６１７０号公報
【特許文献４】特許第５６９６９６２号公報
【考案の概要】
【考案が解決しようとする課題】
【００１１】  しかし、前記永久磁石式被ガイド２００は、湾曲支持アーム２０２の首振り状態がありリング軌条の固定永久磁石１１１に対する前記永久磁石２０１の磁極面との間隔が安定しない。このため永久磁石式被ガイド２００とハズミウエイト４００の偏心回転がぎくしゃくし不安定であり回転駆動軸２への回転抵抗も大きい。さらに永久磁石式被ガイド２００のメンテナンス上の問題も山積してしまった。【００１２】  本考案は、永久磁石式被ガイドを前記湾曲支持アーム２０２と補助ロール２０３を無くしたシンプルかつ堅牢構造にして、リング軌条の固定永久磁石の磁極面にたいする永久磁石式被ガイドの永久磁石の磁極面との間隔を常に安定させることにより、回転駆動軸２の回転による永久磁石式被ガイド２００とハズミウエイト４００の偏心回転を円滑かつ安定化させる磁石式発電装置を提供するものである。
【課題を解決するための手段】
【００１３】  上記課題を満足させる本考案の主な技術構成は、次の（１）の通りである。
（１）、平行関係にした一対のリング枠体（１０）の各外周面側と内周面側に沿って同一磁極を揃えたガイド用の永久磁石（２０）を固定配列した竪型の磁石リング軌条（３０）と、一方を発電装置に連結し他方を自然原動力で回転する回転駆動装置に連結し軸芯（４１）を磁石リング軌条（３０）の水平直径線（３３）の中心位置から水平方向に所定量変位させた位置に直交して水平に配置した回転駆動軸（３６）と、同一の回転駆動軸（３６）にその回転半径方向線に沿ってスライド自在にして複数を装着した偏心回転シャフト機構（５０）と、各偏心回転シャフト機構（５０）の両側に摺動可能に支持したハズミウエイト（６０）と、ハズミウエイト（６０）の両側に平行に設けた支持アーム（７０）の軸受け（９２）を介して支持され前記磁石リング軌条（３０）の永久磁石（２０）の両磁極面に対して反発関係に永久磁石（８０）の磁極面を対面させた永久磁石式被ガイド（９０）とからなり、前記回転駆動装置により回転駆動軸（３６）を回転させることにより偏心回転シャフト機構（５０）を回転させてハズミウエイト（６０）と永久磁石式被ガイドを前記磁石リング軌条（３０）に沿って偏心回転させる磁石式発電装置において、
前記永久磁石式被ガイドは、ロール外周に前記磁石リング軌条（３０）の永久磁石（２０）の両磁極面に対面した非磁性体の筒体ロール（９２）を形成し、筒体ロール（９２）の内周面と前記支持アーム（７０）の軸受け（９２）の外周面との間の周方向に等回転角度間隔で前記走行用永久磁石を配置したロールタイプの永久磁石式被ガイド（９０−１、９０−２）にしたことを特徴とする偏心回転式発電装置。
【考案の効果】
【００１４】  前記回転駆動軸（３６）の駆動エネルギーとして風力、蒸気力、水力、波力などの自然原動力を用いる本考案の磁石式発電装置は、前記特許文献４に記載の、永久磁石式被ガイドの前記湾曲支持アームと補助ロールを無くしたシンプルかつ堅牢構造にして、磁石リング軌条（３０）の固定した永久磁石（２０）の磁極面に対する永久磁石式被ガイド（の永久磁石の磁極面との反発間隔を常に一定に保持して安定させる。これにより、回転駆動軸の回転による永久磁石式被ガイド（９０−１、９０−２）とハズミウエイト（６０）の偏心回転による発電効能を円滑かつ安定化させ優れた作用効果を呈するものである。
【図面の簡単な説明】
【００１５】
【図１】本考案の実施例を示し、図２の矢視Ｂ−Ｂから見た正面説明図である。
【図２】図１の矢視Ａ−Ａから見た側面説明図である。
【図３−１】永久磁石式被ガイドの例１であり、磁石リング軌条３０の内側に配置のロールタイプの永久磁石式被ガイド９０−１の横断面図（１）と、磁石リング軌条３０の外側に配置のロールタイプの永久磁石式被ガイド９０−２の横断面図（２）である。
【図３−２】永久磁石式被ガイドの例２であり、磁石リング軌条３０の内側に配置のロールタイプの永久磁石式被ガイド９０−１の横断面図（１）と、磁石リング軌条３０の外側に配置のロールタイプの永久磁石式被ガイド９０−２の横断面図（２）である。
【図３−３】永久磁石式被ガイドの例３であり、磁石リング軌条３０の内側に配置のロールタイプの永久磁石式被ガイド９０−１の横断面図（１）と、磁石リング軌条３０の外側に配置のロールタイプの永久磁石式被ガイド９０−２の横断面図（２）である。
【図４】特許文献４の図１で紹介の従来の磁石式発電装置の側面説明図である。
【図５】従来の真円の磁石リング軌条において回転駆動軸にかかる回転モーメントの状態を示す簡略説明図である。
【考案を実施するための形態】
【００１６】  考案を実施するための形態を図１〜図３に示す実施例により詳細に説明する。
図１と図２に於いて、本例の磁石式発電装置の基本構成は、平行関係にした一対のステンレス製のリング枠体１０の各外周面側と内周面側に沿って同一磁極を揃えたガイド用の永久磁石２０を固定配列した竪型の磁石リング軌条３０と、一方を発電装置に連結し他方を自然原動力で回転する回転駆動機構に連結し軸芯４１を磁石リング軌条３０の水平直径線３３の中心３４位置から水平方向に所定量変位させた位置３５に直交して水平に配置した回転駆動軸３６と、前記回転駆動軸３６に装着固定した３機のシャフト支持ガイド４０によって平行シャフト部５１を回転駆動軸３６の回転半径方向線に沿ってスライド自在に案内される３組の偏心回転シャフト機構５０と、各偏心回転シャフト機構５０の平行シャフト部５１の両側に回転駆動軸３６の回転半径方向線に沿ってスライド自在に支持されるハズミウエイト６０と、各ハズミウエイト６０のそれぞれに一対の支持アーム７０を設け支持アーム７０の先に回転可能に設けられ前記磁石リング軌条３０の永久磁石２０の両磁極面に対して反発関係に内設永久磁石８０の磁極面を対面させて保持したロールタイプの永久磁石式被ガイド９０−１、９０−２とからなり、複数の前記偏心回転シャフト機構５０の相対位置関係を均等な回転角度の間隔で配置し、前記回転駆動機構により回転駆動軸３６を回転させることによりシャフト支持ガイド４０を介して偏心回転シャフト機構５０を矢印Ｃの方向に回転させて、ハズミウエイト６０と共に永久磁石式被ガイド９０を竪型の磁石リング軌条３０に沿って偏心回転させるものである。
【００１７】  この磁石式発電装置において、回転駆動軸３６の軸芯４１位置は、磁石リング軌条３０の水平直径線３３の３分の１〜５分の３の位置に偏位させる。磁石リング軌条３０は、前記水平直径線３３に対して上下面対称形状にし、長軸Ｌを回転駆動軸３６の軸芯４１を通る沿直線３７上においた楕円を当該長軸を中心に二分割した第一半楕円３８と、短軸を該軸芯４１を通る沿直線上においた楕円をその短軸を中心に二分割した第二半楕円３９とを結合した合成エンドレスリングにする。複数の前記偏心回転シャフト機構５０に支持される前記各永久磁石式被ガイド９０とハズミウエイト６０の相対位置関係は、所定角度６０度均等にずらして配置してある。
【００１８】  前記一対の磁石リング軌条３０は各々、第一半楕円３８と第二半楕円３９との合成構成により、水平直径線３３に対して上下面対称形状であり、水平直径線３３の両端と交差する円弧部に対する接線が鉛直線となり、前記鉛直の直径線の両端と交差する円弧部に対する接線が水平線となり、水平直径線と鉛直直径線との間における円弧は、多点湾曲及び又は放物線の連続円弧で形成されることになる。
【００１９】  而して、第一半楕円３８の短軸と長軸の比は１：２〜１：２．５とする。又、第二半楕円３９の短軸と長軸の比は０．８：１〜１．２：１とする。この各比と、前記回転駆動軸３６の軸芯４１の位置を前記の如く、磁石リング軌条３０の水平直径線３３の３分の１〜５分の３の位置にすることにより、前記回転駆動装置で回転する回転駆動軸３６は、偏心回転シャフト機構５０を回転させて、偏心回転シャフト機構５０に装着した永久磁石式被ガイド９０とハズミウエイト６０を磁石リング軌条３０に沿って円滑に偏心回転し、第一半楕円３８と第二半楕円３９におけるモーメントの差を回転駆動軸３６に付与して回転駆動軸３６の回転力を増強させるのである。
【００２０】  即ち、この各範囲を悦脱すると、ハズミウエイト６０の回転軌跡が縦または横に極端に扁平化して、磁石リング軌条３０における固定永久磁石２０に対する永久磁石式被ガイド９０−１、９０−２の回転抵抗が増大して円滑な回転と充分な回転力が得られない。
この前記配置構成により前記した優れた作用効果を呈するのである。
【００２１】  而して、前記ロールタイプの永久磁石式被ガイド９０−１、９０−２は、図３−１（１）（２）〜図３−３（１）（２）に示す例のようにロールタイプである。つまり、ハズミウエイト６０の上・下の各両側部各々に平行関係で突設した支持アーム７０にベアリング９１とロール軸受け９２を介して非磁性体の樹脂製の筒ロール９３を回動可能に軸着し、筒ロール９３の内周面とロール軸受け９２の外周面との間に等回転角度間隔で永久磁石８０を内設し、磁石リング軌条３０の固定永久磁石２０に対して所定の間隔を該筒ロール９３で保持して該内設永久磁石８０が直接リング枠体１０に当接しないようにしてある。
【００２２】  図３−１（１）（２）〜図３−３（１）（２）の例１〜例３には、ロールタイプの永久磁石式被ガイド９０−１、９０−２の横断面図を示してあり、図３−１（１）（２）は直方体タイプの永久磁石８０−１を径方向に多段で内周方向に複数組み設けた永久磁石式被ガイドである。図３−３（１）（２）は湾曲タイプの永久磁石８０−２を径方向に多段で内周方向に複数組み設けた永久磁石式被ガイドであり、（３）は台形タイプの永久磁石８０−３を径方向に多段で内周方向に複数組み設けた永久磁石式被ガイドである。
【００２３】  前記一対の磁石リング軌条３０は、各々、一対のリング枠体１０を図２に示すように竪設し平行に対面配置しこの枠体１０内に固定永久磁石２０を配列し、固定永久磁石２０は、その磁極Ｓ、Ｎをリング枠外周側とリング内周側に揃えて配列する。
【００２４】  磁石リング軌条３０における固定永久磁石２０の配列は、リング枠体１０の内外周間の中央部に配置し、例えば固定永久磁石２０のリング枠体１０の内周側の磁極をＮ極に揃え、リング枠体１０の外周側の磁極をＳ極に揃える。この場合、図３−１（１）（２）〜図３−３（１）（２）の例に示すように、固定永久磁石２０のリング枠体１０の内周側のＮ磁極と対面する内側の永久磁石式被ガイド９０−１は、永久磁石８０の対面磁極をＮ極にし、そして固定永久磁石２０のリング枠体１０の外周側のＳ磁極と対面する外側の永久磁石式被ガイド９０−２は、永久磁石８０の対面磁極をＳ極にするなどして、磁石リング軌条３０における固定永久磁石２０と永久磁石式被ガイド９０の永久磁石８０との対面の磁極は、磁極同士が反発する関係にするのである。これで永久磁石式被ガイド９０−１、９０−２は磁石リング軌条３０に反発離間して円滑に走行回転する。部分的に接触しても筒ロールと枠体１０の接触であり永久磁石式間の接触は皆無である。
【００２５】  偏心回転シャフト機構５０は、水平直径線と鉛直直径線の交差点に直交する回転駆動軸３６の回転中心軸芯４１を中心にシャフト支持ガイド４０を介して回転するものであり、前記永久磁石式被ガイド９０−１、９０−２とハズミウエイト６０とを１８０度の等角度間隔で一対を回転半径方向Ｒに移動自在に支持することにより平滑な回転速度を得ることができる。回転駆動軸３６にはシャフト支持ガイド４０を取り付け固定し、偏心回転シャフト機構５０の各一対の平行シャフト部５１を回転半径方向に移動自在に支持するものであり、この平行シャフト部５１の断面を中空のパイプ状、矩形状、Ｈ型状、Ｔ型状、Ｉ型状等の梁状のものなどを一体的に或いは複合的に組み合わせ、更に二重伸縮構造にしてベアリング支持機構又は摺動支持機構等により摺動伸縮可能にしたもの等を用いても良い。
図１〜図２に示す一対の平行シャフト部５１は、その一方をハズミウエイト６０に片側固定し他方をハズミウエイト６０に摺動自在に嵌合装着して、偏心回転シャフト機構５０の回転中における回転直径の変化による平行シャフト部５１のハズミウエイト６０間長さの変化を円滑に吸収すると同時にシャフトの湾曲歪みを防止してある。
また図１〜図２に示すようにシャフト支持ガイド４０は偏心回転シャフト機構５０を１２０度の回転角度間隔で３機併設してある。したがって、一対の磁石リング軌条３０は、３機分の永久磁石式被ガイド９０の全てをガイドする。
【００２６】  以上の構成により、駆動エネルギーとして風力、蒸気力、水力、波力などの自然原動力を用いて回転駆動させる回転駆動装置により回転駆動軸を回転させて偏心回転シャフト機構５０を回転させて永久磁石式被ガイド９０−１、９０−２とハズミウエイト６０を前記磁石リング軌条３０に沿って安定して円滑な偏心回転をさせることを可能にし、高速回転を有利に可能にしたものである。
【産業上の利用可能性】
【００２７】  本考案の磁石式発電装置は、前述の優れた作用効果を確実に得るものである。このため水力、風力、波力、その他の自然エネルギーあるいはこれ等から得た微電力等を用いて前記回転駆動軸を微力で一旦回転駆動すれば、エネルギーロスを少なくした効率の良い発電力を確実に確保することができる。そしてクリーンエネルギーとして、メンテナンスフリー発電を手軽に低コストで得る事を実現し、各種電力供給産業に広く普及工業界に広く活用される発電装置である。
【符号の説明】
【００２８】１０：リング枠体
２０：永久磁石
３０：磁石リング軌条
３３：水平直径線
３４：水平直径線の中心
３５：水平方向に所定量変位させた位置
３６：回転駆動軸
３７：沿直線
３８：第一半楕円
３９：第二半楕円
４０：シャフト支持ガイド
４１：軸芯
５０：偏心回転シャフト機構
５１：平行シャフト部
６０：ハズミウエイト
７０：支持アーム
８０：永久磁石
８０−１：直方体タイプの永久磁石
８０−２：湾曲タイプの永久磁石
８０−３：台形タイプの永久磁石
９０−１、９０−２：ロールタイプの永久磁石式被ガイド
９１：ベアリング
９２：ロール軸受け
９３：筒ロール
Ｃ：偏心回転シャフト機構の回転方向矢印
【図１】
0003232374.tif 000003
【図２】
0003232374.tif 000004
【図３−１】
0003232374.tif 000005
【図３−２】
0003232374.tif 000006
【図３−３】
0003232374.tif 000007
【図４】
0003232374.tif 000008
【図５】
0003232374.tif 000009
【手続補正書】
【提出日】令和3年1月29日(2021.1.29)
【手続補正１】
【補正対象書類名】実用新案登録請求の範囲
【補正対象項目名】全文
【補正方法】変更
【補正の内容】
【実用新案登録請求の範囲】
【請求項１】
平行関係にした一対のリング枠体（１０）の各外周面側と内周面側に沿って同一磁極を揃えたガイド用の永久磁石（２０）を固定配列した竪型の磁石リング軌条（３０）と、一方を発電装置に連結し他方を自然原動力で回転する回転駆動装置に連結し軸芯（４１）を磁石リング軌条（３０）の水平直径線（３３）の中心位置から水平方向に所定量変位させた位置に直交して水平に配置した回転駆動軸（３６）と、同一の回転駆動軸（３６）にその回転半径方向線に沿ってスライド自在にして複数を装着した偏心回転シャフト機構（５０）と、各偏心回転シャフト機構（５０）の両側に摺動可能に支持したハズミウエイト（６０）と、ハズミウエイト（６０）の両側に平行に設けた支持アーム（７０）の軸受け（９２）を介して支持され前記磁石リング軌条（３０）の永久磁石（２０）の両磁極面に対して反発関係に永久磁石（８０）の磁極面を対面させた永久磁石式被ガイド（９０）とからなり、前記回転駆動装置により回転駆動軸（３６）を回転させることにより偏心回転シャフト機構（５０）を回転させてハズミウエイト（６０）と永久磁石式被ガイドを前記磁石リング軌条（３０）に沿って偏心回転させる磁石式発電装置において、
前記永久磁石式被ガイドは、ロール外周に前記磁石リング軌条（３０）の永久磁石（２０）の両磁極面に対面した非磁性体の筒体ロール（９２）を形成し、筒体ロール（９２）の内周面と前記支持アーム（７０）の軸受け（９２）の外周面との間の周方向に等回転角度間隔で永久磁石（８０、８０−１〜８０−３）を配置したロールタイプの永久磁石式被ガイド（９０−１、９０−２）にしたことを特徴とする偏心回転式発電装置。
【手続補正２】
【補正対象書類名】明細書
【補正対象項目名】００１３
【補正方法】変更
【補正の内容】
【００１３】  上記課題を満足させる本考案の主な技術構成は、次の（１）の通りである。
（１）、平行関係にした一対のリング枠体（１０）の各外周面側と内周面側に沿って同一磁極を揃えたガイド用の永久磁石（２０）を固定配列した竪型の磁石リング軌条（３０）と、一方を発電装置に連結し他方を自然原動力で回転する回転駆動装置に連結し軸芯（４１）を磁石リング軌条（３０）の水平直径線（３３）の中心位置から水平方向に所定量変位させた位置に直交して水平に配置した回転駆動軸（３６）と、同一の回転駆動軸（３６）にその回転半径方向線に沿ってスライド自在にして複数を装着した偏心回転シャフト機構（５０）と、各偏心回転シャフト機構（５０）の両側に摺動可能に支持したハズミウエイト（６０）と、ハズミウエイト（６０）の両側に平行に設けた支持アーム（７０）の軸受け（９２）を介して支持され前記磁石リング軌条（３０）の永久磁石（２０）の両磁極面に対して反発関係に永久磁石（８０）の磁極面を対面させた永久磁石式被ガイド（９０）とからなり、前記回転駆動装置により回転駆動軸（３６）を回転させることにより偏心回転シャフト機構（５０）を回転させてハズミウエイト（６０）と永久磁石式被ガイドを前記磁石リング軌条（３０）に沿って偏心回転させる磁石式発電装置において、
前記永久磁石式被ガイドは、ロール外周に前記磁石リング軌条（３０）の永久磁石（２０）の両磁極面に対面した非磁性体の筒体ロール（９２）を形成し、筒体ロール（９２）の内周面と前記支持アーム（７０）の軸受け（９２）の外周面との間の周方向に等回転角度間隔で永久磁石（８０、８０−１〜８０−３）を配置したロールタイプの永久磁石式被ガイド（９０−１、９０−２）にしたことを特徴とする偏心回転式発電装置。